(57)【要約】【課題】記憶部の空き容量を確保できるとともに利便性を向上できる録画再生装置を提供する。【解決手段】録画再生装置１は、放送番組を受信するチューナ１１ａ〜１１ｃと、放送番組を記憶する記憶部１８と、記憶済の放送番組を再生する再生部１９と、を備え、記憶部１８は記憶済の放送番組の再生状況に関する再生状況情報を記憶し、再生状況情報に基づいて、記憶期間が所定期間よりも長い記憶済の放送番組を圧縮する第１圧縮処理を行うエンコーダ１２を設けた。【選択図】図４
2016005134.tif 000002
【特許請求の範囲】
【請求項１】
放送番組を受信するチューナと、
前記放送番組を記憶する記憶部と、
記憶済の前記放送番組を再生する再生部と、
を備え、前記記憶部は記憶済の前記放送番組の再生状況に関する再生状況情報を記憶し、
前記再生状況情報に基づいて、記憶期間が所定期間よりも長い記憶済の前記放送番組を圧縮する第１圧縮処理を行う第１圧縮部を設けた録画再生装置。
【請求項２】
前記再生状況情報は記憶済の前記放送番組の再生頻度を含み、
第１圧縮部は、前記再生頻度が所定値よりも小さく第１圧縮処理が未処理の前記放送番組に対して第１圧縮処理を行うことを特徴とする請求項１に記載の録画再生装置。
【請求項３】
前記記憶部は前記放送番組に対する嗜好情報を記憶し、
第１圧縮部は前記再生状況情報と前記嗜好情報とに基づいて第１圧縮処理を行うことを特徴とする請求項１または請求項２に記載の録画再生装置。
【請求項４】
前記チューナから送信された前記放送番組を圧縮する第２圧縮処理を行う第２圧縮部を備えることを特徴とする請求項１〜請求項３のいずれかに記載の録画再生装置。
【請求項５】
第１圧縮部は前記チューナから第１圧縮部へ送信された前記放送番組を圧縮する第２圧縮処理を行い、
前記放送番組の前記チューナから第１圧縮部への非送信時に第１圧縮部は第１圧縮処理を行うことを特徴とする請求項１〜請求項３のいずれかに記載の録画再生装置。
【発明の詳細な説明】
【技術分野】
【０００１】
本発明は、記憶済の放送番組を圧縮する圧縮部を備えた録画再生装置に関する。
【背景技術】
【０００２】
特許文献１には、従来の録画再生装置が開示されている。この録画再生装置は、チューナ、圧縮部、記憶部及び再生部を備える。チューナはＴＶ放送局から放送番組を受信する。記憶部は放送番組及び使用者の放送番組に対する嗜好度を記憶する。圧縮部は記憶部に記憶された放送番組（記憶済の放送番組）を圧縮する。再生部は記憶済の放送番組を再生する。
【０００３】
上記構成の録画再生装置において、記憶部の空き容量が所定量以下になると、記憶部の空き容量を確保する記憶容量確保動作が行われる。記憶容量確保動作では、嗜好度の高い記憶済の放送番組を圧縮せずに嗜好度の低い記憶済の放送番組を圧縮する。これにより、嗜好度の高い記憶済の放送番組の画質や音質の低下を防止して記憶部の空き容量を確保することができる。
【先行技術文献】
【特許文献】
【０００４】
【特許文献１】特開２００６−８６６３９号公報（第８頁〜第１１頁、第１図、第４図）
【発明の概要】
【発明が解決しようとする課題】
【０００５】
従来、使用者による録画予約等の録画指示がなくとも、チューナにより受信された放送番組の全部又は一部を自動的に記憶部に記憶し続ける自動録画を行う録画再生装置が知られている。しかしながら、上記特許文献１の録画再生装置によると、使用者の放送番組に対する嗜好度に基づいて記憶済の放送番組に対して圧縮処理を行う。このため、自動録画を行って記憶部の空き容量が少なくなった際に、記憶部での記憶期間が短く話題性の高い放送番組でも嗜好度が低い場合には圧縮される。したがって、話題性の高い記憶済の放送番組の画質や音質等が低下するおそれがあり、録画再生装置の利便性が低下する問題があった。
【０００６】
本発明は、記憶部の空き容量を確保できるとともに利便性を向上できる録画再生装置を提供することを目的とする。
【課題を解決するための手段】
【０００７】
上記目的を達成するために、本発明の録画再生装置は、
放送番組を受信するチューナと、
前記放送番組を記憶する記憶部と、
記憶済の前記放送番組を再生する再生部と、
を備え、前記記憶部は記憶済の前記放送番組の再生状況に関する再生状況情報を記憶し、  前記再生状況情報に基づいて、記憶期間が所定期間よりも長い記憶済の前記放送番組を圧縮する第１圧縮処理を行う第１圧縮部を設けたことを特徴としている。
【０００８】
この構成によると、記憶部はチューナにより受信された放送番組を記憶する。再生部は記憶済の放送番組を再生する。また、記憶部は記憶済の放送番組の再生状況に関する再生状況情報を記憶する。そして、第１圧縮部は再生状況情報に基づいて、記憶期間が所定期間よりも長い記憶済の放送番組を圧縮する第１圧縮処理を行う。
【０００９】
また本発明は、上記構成の録画再生装置において、前記再生状況情報は記憶済の前記放送番組の再生頻度を含み、第１圧縮部は、前記再生頻度が所定値よりも小さく第１圧縮処理が未処理の前記放送番組に対して第１圧縮処理を行うと好ましい。この構成によると、各放送番組名と各放送番組の再生頻度とが関連付けられて記憶部に記憶される。第１圧縮部は、再生頻度が所定値よりも小さく第１圧縮処理が未処理の放送番組に対して第１圧縮処理を行う。
【００１０】
また本発明は、上記構成の録画再生装置において、前記記憶部は前記放送番組に対する嗜好情報を記憶し、第１圧縮部は前記再生状況情報と前記嗜好情報とに基づいて第１圧縮処理を行うと好ましい。この構成によると、使用者の放送番組に対する嗜好情報が記憶部に記憶される。第１圧縮部は再生状況情報と嗜好情報とに基づいて記憶済の放送番組を圧縮する。
【００１１】
また本発明は、上記構成の録画再生装置において、前記チューナから送信された前記放送番組を圧縮する第２圧縮処理を行う第２圧縮部を備えると好ましい。この構成によると、チューナから第２圧縮部へ送信された放送番組は第２圧縮部により圧縮された後に記憶部に記憶される。
【００１２】
また本発明は、上記構成の録画再生装置において、第１圧縮部は前記チューナから第１圧縮部へ送信された前記放送番組を圧縮する第２圧縮処理を行い、前記放送番組の前記チューナから第１圧縮部への非送信時に第１圧縮部は第１圧縮処理を行うと好ましい。
【発明の効果】
【００１３】
本発明によると、記憶済の放送番組の再生状況に関する再生状況情報に基づいて、記憶期間が所定期間よりも長い記憶済の放送番組を圧縮する第１圧縮処理を行う第１圧縮部を設ける。これにより、例えば再生頻度等が小さく記憶部での記憶期間が長い記憶済の放送番組は第１圧縮部により圧縮される。一方、記憶部での記憶期間が短い記憶済の放送番組は圧縮されない。したがって、記憶部の空き容量を確保することができるとともに、記憶期間が短く話題性の高いことが多い記憶済の放送番組の画質や音質等の低下を防止し、録画再生装置の利便性を向上させることができる。
【図面の簡単な説明】
【００１４】
【図１】本発明の第１実施形態の録画再生装置と録画再生装置に接続されるテレビジョン受像装置とを示す正面図
【図２】本発明の第１実施形態の録画再生装置の構成を示すブロック図
【図３】本発明の第１実施形態の録画再生装置に接続可能なテレビジョン受像装置の本体部の構成を示すブロック図
【図４】本発明の第１実施形態の録画再生装置の記憶容量確保動作を示すフローチャート
【図５】本発明の第２実施形態の録画再生装置に接続されるハードディスク装置の構成を示すブロック図
【図６】本発明の第３実施形態の録画再生装置の構成を示すブロック図
【発明を実施するための形態】
【００１５】
＜第１実施形態＞
以下に図面を参照して本発明の実施形態を説明する。図１は第１実施形態の録画再生装置及び録画再生装置に接続されるテレビジョン受像装置を示す正面図である。ＤＶＤ装置やＢｌｕ−ｒａｙ（登録商標）装置等の録画再生装置１は居室内のラック９０上に載置され、接続ケーブル１７ａ（図２参照）によりテレビジョン受像装置２の本体部２０に接続される。
【００１６】
録画再生装置１はチューナ１１ａ〜１１ｃ（図２参照）によりＴＶ放送信号を受信する。チューナ１１ａ〜１１ｃにより受信された放送番組の映像や音声は記憶部１８（図２参照）に自動的に記憶される。すなわち、録画再生装置１は、使用者による録画予約等がなくともチューナ１１ａ〜１１ｃにより受信された放送番組の全部又は一部を記憶部１８に自動的に記憶し続ける自動録画を行うことができる。これにより、使用者は放送時間内に視聴できなかった放送番組や録画予約し忘れた放送番組を放送時間終了後に視聴することができる。
【００１７】
記憶部１８に記憶された映像や音声は再生部１９（図２参照）により再生される。また、録画再生装置１はディスク等の記憶媒体（不図示）に放送番組を記憶させることができる。
【００１８】
録画再生装置１は表示部１４及び操作部１５を有する。表示部１４は例えば液晶表示パネルを有し、録画操作中の放送番組名や録画時間等を表示する。操作部１５は複数の操作ボタン１５ａを有し、各操作ボタン１５ａの操作により録画再生装置１への電源投入や記憶部１８に記憶された放送番組の再生動作等を行うことができる。
【００１９】
また、録画再生装置１はリモートコントローラ８０と赤外線やＢｌｕｅｔооｔｈ（登録商標）規格に従った無線通信を行い、リモートコントローラ８０によって遠隔操作される。リモートコントローラ８０は十字キー８０ａ及び文字キー８０ｂを有する。
【００２０】
テレビジョン受像装置２はラック９０等に設置される設置部２３により支持される本体部２０を有し、ＴＶ放送信号を受信する。本体部２０の前面には表示部２１及び音声出力部２２が設けられる。表示部２１は例えば液晶表示パネルから成る画面２１ａを有し、ＴＶ放送局から受信した映像信号に基づく映像や録画再生装置１で再生された映像を画面２１ａに表示する。音声出力部２２はスピーカから成り、音声を出力する。これにより、使用者は放送中の放送番組や録画再生装置１で再生される記憶済の放送番組等を視聴することができる。
【００２１】
また、本体部２０はリモートコントローラ８０と赤外線やＢｌｕｅｔооｔｈ（登録商標）規格に従った無線通信を行い、リモートコントローラ８０によって遠隔操作される。
【００２２】
図２は、録画再生装置１の構成を示すブロック図である。録画再生装置１はＣＰＵから成る制御部１０を備え、制御部１０は録画再生装置１の各部を制御する。制御部１０には、チューナ１１ａ〜１１ｃ、エンコーダ１２（第１圧縮部）、エンコーダ１３（第２圧縮部）、表示部１４、操作部１５、無線接続部１６、有線接続部１７、記憶部１８及び再生部１９がそれぞれ接続される。
【００２３】
チューナ１１ａ〜１１ｃにはアンテナ１１１が接続され、チューナ１１ａ〜１１ｃはアンテナ１１１を介してＴＶ放送局からＴＶ放送信号を受信して復調する。録画再生装置１はチューナ１１ａ〜１１ｃを有しているため、異なる複数のチャンネルの放送番組を同時に受信することができる。なお、本実施形態の録画再生装置１はチューナを３個有しているが、チューナの数はこれに限定されない。例えば、録画再生装置１は４個以上のチューナを有してもよく、チューナを１個のみ有してもよい。
【００２４】
記憶部１８は例えばハードディスクドライブ（ＨＤＤ）等から成り、録画再生装置１の動作プログラムや各種データを記憶する。各種データには、放送番組、放送番組が記憶された日時、使用者の放送番組に対する嗜好情報及び再生部１９による放送番組の再生状況に関する再生状況情報が含まれる。
【００２５】
嗜好情報には使用者の好む放送番組のジャンル（例えば「ドラマ」や「映画」等）やキーワード（例えば「動物」や「乗り物」等）が含まれる。なお、操作部１５の操作ボタン１５ａやリモートコントローラ８０の十字キー８０ａ、文字キー８０ｂを操作してジャンルやキーワードを入力することができる。
【００２６】
再生状況情報には、再生部１９によって再生された記憶済の各放送番組の再生頻度が含まれる。再生頻度は、例えば一日当たりの再生回数により表される。
【００２７】
再生部１９は記憶部１８に記憶済の放送番組（録画番組）を読み出して再生する。
【００２８】
エンコーダ１２は後述の記憶容量確保動作時に第１圧縮処理を行う。第１圧縮処理では、再生状況情報や嗜好情報に基づいて、記憶部１８での記憶期間が所定期間よりも長い記憶済の放送番組のデータを符号化して圧縮する。
【００２９】
エンコーダ１３は放送番組の録画時に第２圧縮処理を行う。第２圧縮処理では、チューナ１１ａ〜１１ｃからエンコーダ１３へ送信された放送番組のデータを符号化して圧縮する（標準圧縮モード）。第２圧縮処理を受けた放送番組は記憶部１８に記憶される。なお、標準圧縮モードに加えて、標準圧縮モードよりも圧縮率の高い高圧縮モードを設け、エンコーダ１３は使用者の指示により高圧縮モードで第２圧縮処理を行ってもよい。
【００３０】
なお、操作部１５やリモートコントローラ８０の所定操作により、チューナ１１ａ〜１１ｃで受信された放送番組をエンコーダ１３による第２圧縮処理を経ずに記憶部１８に記憶させてもよい。これにより、放送番組の画質や音質をほとんど劣化させずに記憶部１８に放送番組を記憶することができる。
【００３１】
無線接続部１６にはアンテナ１６ａが設けられる。無線接続部１６はアンテナ１６ａを介して例えばＢｌｕｅｔооｔｈ規格に従った無線通信によりリモートコントローラ８０との間で通信データの送受信を行う。
【００３２】
有線接続部１７には接続ケーブル１７ａを介してテレビジョン受像装置２の本体部２０が接続される。接続ケーブル１７ａはＨＤＭＩ（High-Definition Multimedia Interface）（登録商標）規格に準拠している。また、接続ケーブル１７ａにはＣＥＣ（Consumer Electronics Control）制御線（不図示）が設けられる。録画再生装置１やテレビジョン受像装置２の本体部２０で設定した機能を動作させるためのコマンドはＣＥＣ制御線を介して録画再生装置１と本体部２０との間で送受信される。これにより、録画再生装置１と本体部２０との間で相互に機能を制御することができる。例えば、有線接続部１７により、録画再生装置１は本体部２０に対して制御信号を送信することができる。
【００３３】
図３は、テレビジョン受像装置２の本体部２０の構成を示すブロック図である。本体部２０はＣＰＵから成る制御部２９を備え、制御部２９はテレビジョン受像装置２の本体部２０の各部を制御する。制御部２９には、チューナ２４、音声出力部２２、表示部２１、操作部２５、無線接続部２６、有線接続部２７及び記憶部２８がそれぞれ接続される。
【００３４】
操作部２５は本体部２０の上面や側面に配される複数の操作ボタン（不図示）を有し、各操作ボタンの操作により本体部２０への電源投入、チャンネルの変更、音声出力部２２から出力される音量の調節等を行うことができる。
【００３５】
チューナ２４にはアンテナ２４ａが接続され、チューナ２４はアンテナ２４ａを介してＴＶ放送局からＴＶ放送信号を受信して復調する。
【００３６】
無線接続部２６にはアンテナ２６ａが設けられる。無線接続部２６はアンテナ２６ａを介して例えばＢｌｕｅｔооｔｈ規格に従った無線通信によりリモートコントローラ８０との間で通信データの送受信を行う。
【００３７】
有線接続部２７には接続ケーブル１７ａを介して録画再生装置１が接続される。例えば、有線接続部２７により、本体部２０は録画再生装置１に対して制御信号を送信することができる。
【００３８】
記憶部２８は例えばＥＥＰＲＯＭ等から成り、本体部２０の動作プログラムや各種データを記憶する。
【００３９】
図４は、録画再生装置１の記憶部１８の空き容量を確保する記憶容量確保動作を示すフローチャートである。記憶部１８の空き容量が所定の下限量よりも小さくなったと制御部１０が判断すると、記憶容量確保動作が開始される。ここで、記憶部１８の空き容量の下限量は例えば標準圧縮モードで５時間の放送番組を記憶することができる程度の容量に設定される。
【００４０】
ステップ＃１では、記憶済の放送番組のデータサイズ及び記憶部１８に記憶された日時（録画日時）に基づいて、第１圧縮処理を受けておらず記憶部１８内で最も古い記憶済の放送番組が抽出される。すなわち、ステップ＃１では、第１圧縮処理が未処理で記憶期間が最も長い記憶済の放送番組が抽出される。
【００４１】
ステップ＃２では、抽出された放送番組の記憶期間が所定期間（例えば４８時間）よりも長いか否かが判断される。抽出された放送番組の記憶期間が所定期間よりも長くない場合にはステップ＃９に移行し、長い場合にはステップ＃３に移行する。
【００４２】
ステップ＃３では、抽出された放送番組の再生頻度が所定の下限値（例えば、一日当たりの再生回数が０．５回）よりも大きいか否かが判断される。抽出された放送番組の再生頻度が下限値よりも大きくない場合にはステップ＃４に移行し、下限値よりも大きい場合にはステップ＃７に移行する。
【００４３】
ステップ＃４では、抽出された放送番組の内容が嗜好情報と一致するか否かが判断される。例えば、記憶部１８に記憶されたキーワードが放送番組名に含まれるか否か、または放送番組のジャンル情報が記憶部１８に記憶されたジャンルと同じか否かが判断される。抽出された放送番組の内容が嗜好情報と一致する場合にはステップ＃７に移行し、一致しない場合にはステップ＃５に移行する。
【００４４】
ステップ＃５では第１圧縮処理が行われる。これにより、再生頻度が下限値よりも小さいとともに内容が嗜好情報とも一致しない記憶済の放送番組はエンコーダ１２により圧縮されて低ビットレート化される。したがって、記憶部１８の空き容量を確保することができる。また、記憶期間が長いとともに再生頻度が低く内容が嗜好情報とも一致しない放送番組に対して第１圧縮処理が行われるため、画質や音質が低下しても大きな支障はない。なお、第１圧縮処理後の記憶済の放送番組の画質や音質は第１圧縮処理前の画質や音質よりも低下するが、内容を把握できる程度の画質や音質は保たれる。
【００４５】
ステップ＃６では、記憶部１８の空き容量が下限量よりも大きいか否かが判断される。記憶部１８の空き容量が下限量よりも大きくない場合にはステップ＃７に移行し、下限量よりも大きい場合には記憶容量確保動作は終了する。
【００４６】
ステップ＃７では、記憶済の放送番組のデータサイズ及び録画日時に基づいて、第１圧縮処理を受けておらず記憶部１８内で次に古い記憶済の放送番組が抽出される。すなわち、ステップ＃７では、第１圧縮処理が未処理で記憶期間が次に長い記憶済の放送番組が抽出される。
【００４７】
ステップ＃８では、抽出された放送番組の記憶期間が所定期間（例えば４８時間）よりも長いか否かが判断される。抽出された放送番組の記憶期間が所定期間よりも長くない場合にはステップ＃９に移行し、長い場合にはステップ＃３に戻ってステップ＃３〜ステップ＃８が繰り返される。なお、最も古い記憶済の放送番組の記憶期間が所定期間よりも長く（例えば２４０時間）なるように記憶部１８の記憶容量が設定されると好ましい。
【００４８】
ステップ＃９では、録画再生装置１の表示部１４やテレビジョン受像装置２の表示部２１の画面２１ａに例えば「空き容量が足りません。」というメッセージが表示される。これにより、使用者は記憶部１８の空き容量不足を容易に認識することができるとともに、記憶部１８の空き容量を確保するように促される。これにより、使用者は例えば嗜好情報と一致する記憶済の放送番組を記憶部１８からディスク等の記憶媒体や録画再生装置１に接続可能な外部記憶装置に移動させて記憶部１８の空き容量を確保することができる。報知後に記憶容量確保動作は終了する。
【００４９】
本実施形態によると、記憶部１８に記憶済の放送番組の再生状況情報を記憶し、再生状況情報に基づいて、記憶期間が所定期間よりも長い記憶済の放送番組を圧縮する第１圧縮処理を行うエンコーダ１２（第１圧縮部）を設けている。これにより、再生頻度が小さく記憶部１８での記憶期間が長い記憶済の放送番組はエンコーダ１２により圧縮される。一方、記憶部１８での記憶期間が短い記憶済の放送番組は圧縮されない。したがって、記憶部１８の空き容量を確保することができるとともに、記憶期間が短く話題性の高いことが多い記憶済の放送番組の画質や音質の低下を防止し、録画再生装置１の利便性を向上させることができる。
【００５０】
また、再生状況情報は記憶済の放送番組の再生頻度を含み、エンコーダ１２は、再生頻度が所定値よりも小さく第１圧縮処理が未処理の放送番組に対して第１圧縮処理を行う。これにより、使用者の視聴頻度の高い記憶済の放送番組の画質や音質の低下を防止して記憶部１８の空き容量を容易に確保することができる。また、記憶部１８に記憶された放送番組は第１圧縮処理を２回以上受けることはないため、第１圧縮処理後の放送番組の画質や音質の著しい低下を防止することができる。
【００５１】
また、記憶部１８は放送番組に対する嗜好情報を記憶し、エンコーダ１２は再生状況情報と嗜好情報とに基づいて第１圧縮処理を行う。これにより、使用者の嗜好に合う放送番組の画質や音質の低下を防止して記憶部１８の空き容量を容易に確保することができる。
【００５２】
また、チューナ１１ａ〜１１ｃから送信された放送番組を圧縮する第２圧縮処理を行うエンコーダ１３（第２圧縮部）を備える。これにより、第１圧縮処理と第２圧縮処理とを同時に行うことができ、録画再生装置１の利便性をより向上させることができる。
【００５３】
また、本実施形態では、ステップ＃６で記憶部１８の空き容量が下限量よりも大きくなると記憶容量確保動作を終了する。これにより、第１圧縮処理を受ける放送番組の数を抑えることができる。なお、記憶部１８の空き容量が下限量よりも大きくなっても、記憶期間が所定期間よりも長いとともに再生頻度が所定値よりも小さく内容が嗜好情報に一致しない記憶済の放送番組のすべてに対して第１圧縮処理を行ってもよい。
【００５４】
なお、本実施形態では、自動録画を行って記憶部１８の空き容量が下限量よりも小さくなった時に記憶容量確保動作を開始しているが、使用者の操作により記憶部１８に放送番組を記憶させ、記憶部１８の空き容量が下限量よりも小さくなった時に記憶容量確保動作を開始してもよい。この場合にも記憶部１８の空き容量を確保することができるとともに、記憶期間が短く話題性が高いことの多い記憶済の放送番組の画質や音質の低下を防止することができる。
【００５５】
また、操作部１５またはリモートコントローラ８０の所定操作により記憶容量確保動作を禁止する禁止モードを設けてもよい。
【００５６】
＜第２実施形態＞
次に、本発明の第２実施形態について説明する。図５は第２実施形態の録画再生装置に設けられるハードディスク装置の構成を示すブロック図である。説明の便宜上、図１〜図４に示す第１実施形態と同様の部分には同一の符号を付している。本実施形態では録画再生装置１にハードディスク装置３（記憶装置）が接続され、エンコーダ１２（第１圧縮部）がハードディスク装置３の制御部３１に接続されている点で第１実施形態とは異なっている。その他の部分は第１実施形態と同様である。なお、録画再生装置１の内部にハードディスク装置３を設けてもよい。
【００５７】
ハードディスク装置３はＣＰＵから成る制御部３１を備え、制御部３１はハードディスク装置３の各部を制御する。制御部３１には、エンコーダ１２、無線接続部３２及び記憶部３３がそれぞれ接続される。記憶部３３は記憶部１８よりも記憶容量が大きくなっており、自動録画された放送番組は記憶部１８、３３に記憶される。
【００５８】
無線接続部３２にはアンテナ３２ａが設けられる。無線接続部３２はアンテナ３２ａを介して例えばＢｌｕｅｔооｔｈ規格に従った無線通信により無線接続部１６との間で通信データの送受信を行う。これにより、例えば記憶部１８に記憶された放送番組を記憶部３３やエンコーダ１２に送信することができる。エンコーダ１２は記憶部１８、３３に記憶済の放送番組に対して第１圧縮処理を行う。
【００５９】
第２実施形態によると、第１実施形態と同様の効果を得ることができる。また、エンコーダ１２（第１圧縮部）はハードディスク装置３の制御部３１に接続され、記憶部１８、３３に記憶済の放送番組に対して第１圧縮処理を行う。これにより、録画再生装置１の制御部１０を介さずに第１圧縮処理を行うことができる。したがって、制御部１０の消費電力を削減することができるとともに制御部１０の負担を軽減することができる。
【００６０】
＜第３実施形態＞
次に、本発明の第３実施形態について説明する。図６は第３実施形態の録画再生装置の構成を示すブロック図である。説明の便宜上、図１〜図４に示す第１実施形態と同様の部分には同一の符号を付している。本実施形態では、エンコーダ１３（第２圧縮部）を省いている点で第１実施形態とは異なっている。その他の部分は第１実施形態と同様である。
【００６１】
エンコーダ１２（第１圧縮部）はチューナ１１ａ〜１１ｃで受信された放送番組がエンコーダ１２へ送信されると、第２圧縮処理を行う。これにより、録画時に放送番組のデータサイズを容易に小さくすることができる。また、エンコーダ１２は、チューナ１１ａ〜１１ｃで受信した放送番組のチューナ１１ａ〜１１ｃからエンコーダ１２への非送信時に第１圧縮処理を行う。これにより、例えば放送時間が終了して自動録画が行われることが少ない深夜等にエンコーダ１２により第１圧縮処理が行われるため、エンコーダ１２は第１圧縮処理を円滑に行うことができる。
【００６２】
第３実施形態によると、第１実施形態と同様の効果を得ることができる。また、本実施形態の録画再生装置１はエンコーダ１３を省いているため、録画再生装置１の部品点数を削減することができる。
【００６３】
また、チューナ１１ａ〜１１ｃで受信した放送番組のチューナ１１ａ〜１１ｃからエンコーダ１２への非送信時に第１圧縮処理を行う。これにより、例えば放送時間が終了して自動録画が行われることが少ない深夜等に第１圧縮処理が行われるため、エンコーダ１２は第１圧縮処理を円滑に行うことができる。
【産業上の利用可能性】
【００６４】
本発明は、記憶済の放送番組を圧縮する圧縮部を備えた録画再生装置に利用することができる。
【符号の説明】
【００６５】
１        録画再生装置
２        テレビジョン受像装置
３        ハードディスク装置
１０      制御部
１１ａ〜１１ｃ      チューナ
１２      エンコーダ（第１圧縮部）
１３      エンコーダ（第２圧縮部）
１４      表示部
１５      操作部
１６      無線接続部
１７      有線接続部
１８      記憶部
１９      再生部
２０      本体部
２１      表示部
２２      音声出力部
２４      チューナ
２５      操作部
２６      無線接続部
２７      有線接続部
２８      記憶部
２９      制御部
３１      制御部
３２      無線接続部
３３      記憶部
８０      リモートコントローラ
【図１】
2016005134.tif 000003
【図２】
2016005134.tif 000004
【図３】
2016005134.tif 000005
【図４】
2016005134.tif 000006
【図５】
2016005134.tif 000007
【図６】
2016005134.tif 000008